(57)【要約】【課題】スイッチカバーを設置する際の蓋板２０の位置合わせを容易にすると共に、蓋板２０と壁面Ｗとの見切りとなる縁１０を、あまり大きくしないで縁１０を広い角度から見せることにより、蓋板２０と壁面Ｗが直接に隣接して見える範囲を少なくし、壁面Ｗと蓋板２０の模様がずれても蓋板２０の際を目立たなくし、スイッチカバーの存在が目立ち過ぎることのないようにすること。【解決手段】本発明のスイッチカバーは、空調機器等の操作パネルＳが設置されている壁面Ｗに開閉自在に装着されて前記操作パネルＳを覆うスイッチカバーであって、前記スイッチカバーの蓋板２０の位置が容易に調整可能なように、縁１０の蓋板のみ込み部長さａを深くすると共に、蓋板２０と縁１０が釘またはビス１３により内側から仮固定可能とされていることを特徴とするスイッチカバーである。【選択図】図３
2015005330.tif 000002
【特許請求の範囲】
【請求項１】
操作パネルが設置されている壁面に開閉自在に装着されて前記操作パネルを覆うスイッチカバーであって、
前記スイッチカバーの蓋部は蓋板と前記蓋板を囲む縁を有し、
前記蓋板の少なくとも表面は前記壁面と同じ種類かつ同じ色の壁仕上げ材で作られているか、または、違う種類の壁仕上げ材であっても前記壁面と同系色の塗装がしてあることを特徴とするスイッチカバー。
【請求項２】
前記スイッチカバーの前記縁の蓋板のみ込み部長さが蓋板厚さ以上であり、
前記スイッチカバーの蓋板と縁が釘またはビスにより固定可能とされていることを特徴とする請求項１に記載のスイッチカバー。
【請求項３】
前記スイッチカバーの側面が蓋面から前記壁面に向けて広がっていることを特徴とする請求項１または請求項２に記載のスイッチカバー。
【発明の詳細な説明】
【技術分野】
【０００１】
本発明は、スイッチカバー、より詳細には、室内の壁に設置する空調機器等の操作パネルに適用して好適なスイッチカバーに関する。
【背景技術】
【０００２】
室内の壁に設置する空調機器の操作パネルは、表示部以外の部分における色あいにおいて白っぽいものが多く、背景となる壁の色が濃い場合は操作パネルが目立ち過ぎてしまう。メーカーに特注すれば、濃い色の操作パネルに変えることもできるが、コストや時間がかかる上、必ずしも壁の色に調和する色を選べるわけではない。
【０００３】
そこで、壁面に設置された操作パネルを覆うカバーを壁面または操作パネル自体に取り付ける場合がある。その場合、カバーを壁面と同系色の材質のもので作るか、同系色に塗装すれば操作パネルが目立ち過ぎることは少なくなる。
【発明の概要】
【発明が解決しようとする課題】
【０００４】
スイッチカバーを壁面Ｗと同じ種類かつ同じ色の壁仕上げ材（クロス、タイル、合板、塗り壁、吹き付け、塗装等）で作ればよいが、スイッチカバー自体は小さく凹凸があるので、開閉時に出隅部が損傷する可能性もあり、プラスチック板等で作られる場合があり質感に問題があった。
【０００５】
スイッチカバーを壁面Ｗと同じ種類かつ同じ色の壁仕上げ材（クロス、タイル、合板、塗り壁、吹き付け、塗装等）で作ったとしても、壁面Ｗに模様やグラデーションがあると、壁面Ｗとスイッチカバーの模様の位置合わせが困難で、模様がずれてスイッチカバーの存在が目立ってしまう場合があった。壁面Ｗとスイッチカバーの模様がずれても際を目立たなくし、スイッチカバーの存在が目立ち過ぎることのないようにすることを目的とする。
【課題を解決するための手段】
【０００６】
本発明のスイッチカバーは、空調機器等の操作パネルＳが設置されている壁面Ｗに開閉自在に装着されて前記操作パネルＳを覆うスイッチカバーであって、前記スイッチカバーの蓋部は蓋板２０と前記蓋板２０を囲む縁１０を有し、前記スイッチカバー表面の大部分を占める蓋板２０の少なくとも表面は壁面Ｗと同じ種類かつ同じ色の壁仕上げ材（クロス、タイル、合板、塗り壁、吹き付け、塗装等）で作られているか、または、違う種類の壁仕上げ材であっても同系色の塗装がしてある。前記蓋板２０は縁１０で囲まれており、前記蓋板２０の位置が容易に調整可能なように、縁１０の蓋板のみ込み部長さａを深くすると共に、蓋板２０と縁１０が釘またはビス１３により内側から仮固定可能とされていることを特徴とするスイッチカバーである。
【発明の効果】
【０００７】
前記蓋板２０は縁１０で囲まれており、蓋板２０は出隅部を有しないので、壁仕上げ材で作っても損傷が少ない。また、縁１０の蓋板のみ込み部長さａを深くすることにより、スイッチカバーを設置する際の蓋板２０の位置合わせの調整代を大きくし、調整用の釘またはビス１３で、内側から抜き差しできる状態で仮固定でき、蓋板２０の位置合わせ作業を容易にすると共に、蓋板２０と壁面Ｗとの見切りとなる縁１０を、あまり大きくしないでかつ縁１０を広い角度からなるべく見せることにより、蓋板２０と壁面Ｗが直接に隣接して見える範囲を少なくし、壁面Ｗと蓋板２０の模様がずれても縁１０を見せることで蓋板２０の際を目立たなくし、スイッチカバーの存在が目立ち過ぎることのないようにする。
【図面の簡単な説明】
【０００８】
【図１】本発明の実施形態に係るスイッチカバーを設置した場合の斜視図である。
【図２】図１のスイッチカバーの蓋部を開けた場合の斜視図である。
【図３】図１のスイッチカバーの縦断面図である。
【発明を実施するための形態】
【０００９】
本発明のスイッチカバーは、室内の壁に設置する空調機器等の操作パネルに適用して好適なスイッチカバーに関する。
【００１０】
以下、本発明の実施形態について、図面を参照しながら説明する。図１から図３は、室内の壁面Ｗに設置された空調機器等の操作パネルＳを覆う実施形態によるスイッチカバーを壁面Ｗに取り付けた図である。スイッチカバーは枠部と蓋部からなる。操作パネルＳを囲むように四角い枠状の枠３０を壁面Ｗまたは操作パネルＳに固定し、ヒンジ４０を介して縁１０と蓋板２０からなる蓋部が開閉自在となっている。スイッチカバー表面の大部分を占める蓋板２０の少なくとも表面は壁面Ｗと同じ種類かつ同じ色の壁仕上げ材（クロス、タイル、合板、塗り壁、吹き付け、塗装等）で作られているか、または、違う種類の壁仕上げ材であっても同系色の塗装がしてある。前記蓋板２０は縁１０で囲まれており、蓋板２０は出隅部を有しないので、壁仕上げ材で作っても損傷が少ない。この際、縁１０の蓋板のみ込み部長さａを蓋板２０厚さ以上に深くすることにより、スイッチカバーを設置する際の蓋板２０の位置合わせの調整代を大きくし、調整用の釘またはビス１３で内側から抜き差しできる状態で仮固定できるようにしておく。スイッチカバー取り付けの際に、壁面Ｗの模様や現場の照明に合わせて、蓋板２０を仮固定して確認しながら作業すれば、蓋板２０取り付けの現場調整作業が容易になる。最終的には、調整用の釘またはビス１３で蓋板２０と縁１０を本固定としてもよいし、接着剤等で固定してもよい。
【００１１】
また、蓋板２０と壁面Ｗとの見切りとなる縁１０の表面も壁面Ｗと同系色の材質のもので作るか、同系色に塗装して蓋板２０と壁面Ｗの際を強調せず調和させるようにした。スイッチカバーの側面となる縁１０の上下左右の側面１１を蓋面から前記壁面に向けて断面視八の字状に広げた。これにより、縁１０をあまり大きくしないでかつ広い角度からなるべく見せることにより、見る人が移動しても、蓋板２０と壁面Ｗの直接に隣接して見える範囲を少なくし、壁面Ｗと蓋板２０の模様がずれても蓋板２０を目立たなくし、スイッチカバーの存在が目立ち過ぎることのないようにする。また、スイッチカバーがつくる影の印象を弱める役割も果たす。具体的には、影のエッジを和らげると共に、複数の照明による影が重なった影の濃い部分の減少に貢献する。
【００１２】
本実施形態のように操作パネルＳ全体をスイッチカバーで覆えば、カバーとして本来の効果である防塵防汚効果も高く、上部を斜めにしているので上部に埃もたまり難い。
【００１３】
更に本実施形態では、縁１０の下部に蓋のつまみを兼ねた、スイッチカバー蓋部と枠３０を係合するためのロック機構１２を備えてある。スイッチカバー蓋部を開くためには、ロック機構１２を押しながら蓋部を開く必要があり、子供が誤ってスイッチカバーを開けて操作パネルＳを操作することを少なくできる。
【符号の説明】
【００１４】
１０  縁
１１  側面
１２  ロック機構
１３  釘またはビス
２０  蓋板
３０  枠
４０  ヒンジ
Ｗ  壁面
Ｓ  操作パネル
ａ  のみ込み部長さ
【図１】
2015005330.tif 000003
【図２】
2015005330.tif 000004
【図３】
2015005330.tif 000005